(57)【特許請求の範囲】
【請求項１】
１又は複数の警報器と移報アダプタを備え、１の警報器で火災を検出した場合に火災警報を出力すると共に火災連動信号を他の警報器及び前記移報アダプタへ送信して他の警報器から火災警報を出力させると共に前記移報アダプタから外部機器に移報信号を出力させる警報システムに於いて、
前記警報器は、
所定の移報停止操作を受付けるスイッチと、
前記スイッチによる移報停止操作の受付けを検出した場合に前記移報アダプタの移報停止を設定し、火災を検出した場合に前記移報停止の指示を含む火災連動信号を送信する警報制御部と、
を備え、
前記移報アダプタは、
信号線により接続した外部機器に移報信号を出力する移報出力部と、
前記警報器から移報停止の指示を含む前記火災連動信号を受信した場合に、前記移報出力部に指示して前記外部機器に対する移報信号の出力を行わない移報制御部と、
を備えたことを特徴とする警報システム。
【請求項２】
請求項１記載の警報システムに於いて、前記移報アダプタの移報制御部は、前記移報停止の指示を含む火災連動信号を所定回数又は所定時間連続して受信した場合、前記移報出力部に対する移報停止の指示を解除して前記外部機器に移報信号を出力することを特徴とする警報システム。
【請求項３】
請求項１記載の警報システムに於いて、
前記警報器の警報制御部は、火災を検出して前記移報停止の指示を含む火災連動信号を送信している場合に、前記移報停止の指示を含む火災連動信号を所定回数又は所定時間連続して送信したとき、又は、火災と判断する所定の閾値より高い他の閾値を超える煙濃度又は温度を検出したときに、移報停止の指示を含まない火災連動信号を送信して、前記移報アダプタに前記外部機器への移報出力を行わせることを特徴とする警報システム。
【請求項４】
請求項１記載の警報システムに於いて、
前記警報器の警報制御部は、火災を検出して前記移報停止の指示を含む火災連動信号を送信している場合に、前記スイッチによる所定の移報停止解除操作の受付けを検出したときに、移報停止の指示を含まない火災連動信号を送信して、前記移報アダプタに前記外部機器への移報出力を行わせることを特徴とする警報システム。
【請求項５】
請求項１記載の警報システムに於いて、前記移報アダプタの移報制御部は、前記火災連動信号を受信した場合に当該火災連動信号の受信を示す報知を行い、前記移報停止の指示を含む前記火災連動信号を受信した場合に当該移報停止の指示を含む前記火災連動信号の受信を示す報知を行うことを特徴とする警報システム。
【請求項６】
請求項１記載の警報システムに於いて、前記警報器の警報制御部は、前記火災連動信号を受信した場合に当該火災連動信号の送信を示す報知を行い、前記移報停止の指示を含む前記火災連動信号を送信した場合に当該移報停止の指示を含む前記火災連動信号の送信を示す報知を行うことを特徴とする警報システム。
【請求項７】
請求項１記載の警報システムに於いて、
前記警報器のスイッチは、火災警報中の操作により警報停止を受付け、通常状態での操作の相違により移報停止と点検を受け付け、
前記警報器の警報制御部は、前記移報アダプタの移報停止を設定し且つ火災を検出していない状態での前記スイッチによる点検操作の受付けを検出した場合に、前記移報停止の指示を含む点検連動信号を送信し、
前記移報アダプタの移報制御部は、前記警報器から前記移報停止の指示を含む点検連動信号を受信した場合に、前記所定の点検動作を行うと共に前記移報出力部に指示して前記外部機器に対する移報信号の出力を行わないことを特徴とする警報システム。
【請求項８】
１又は複数の警報器と移報アダプタを備え、１の警報器で火災を検出した場合に火災警報を出力すると共に火災連動信号を他の警報器及び前記移報アダプタへ送信して他の警報器から火災警報を出力させると共に前記移報アダプタから外部機器に移報信号を出力させる警報システムに於いて、
前記警報器は、
火災警報中の操作により警報停止を受付け、通常状態での操作の相違により移報停止の指示を含まない点検と移報停止の指示を含む点検を受付けるスイッチと、
前記スイッチによる移報停止の指示を含まない点検操作の受付けを検出した場合に、前記移報停止の指示を含まない点検連動信号を送信し、前記スイッチによる移報停止の指示を含む点検操作の受付けを検出した場合に、前記移報停止の指示を含む点検連動信号を送信し、更に他の警報器から点検連動信号を受信した場合に所定の点検動作を行う警報制御部と、
を備え、
前記移報アダプタは、
信号線により接続した外部機器に移報信号を出力する移報出力部と、
前記警報器から前記移報停止の指示を含まない点検連動信号を受信した場合に所定の点検動作を行うと共に前記移報出力部に指示して前記外部機器に移報信号を出力させ、一方、前記警報器から前記移報停止の指示を含む点検連動信号を受信した場合に、前記所定の点検動作を行うと共に前記移報出力部に指示して外部機器に対する移報信号の出力を行わないことを特徴とする警報システム。
【請求項９】
請求項７又は８記載の警報システムに於いて、
前記警報器のスイッチは、通常状態での操作の相違により更に単独点検を受付け、
前記警報器の警報制御部は、前記スイッチによる単独点検操作の受付けを検出した場合に、前記点検連動信号を送信することなく所定の自己点検を行うことを特徴とする警報システム。
【発明の詳細な説明】
【技術分野】
【０００１】
本発明は、住宅等に設置された無線連動型の警報器からの火災連動信号を移報アダプタへ送信して外部機器を移報出力により動作させる警報システムに関する。
【背景技術】
【０００２】
従来、住宅における火災を検出して警報する警報器が普及している。このうち、住宅用火災警報器を住警器と言う。
【０００３】
例えばこのような住警器にあっては、住警器内にセンサ部と警報部を一体に備え、センサ部の検出信号から火災を検知すると警報部から火災警報を出力するようにしており、専用の受信設備等を必要とせず住警器単体で火災監視と警報とができることから、設置が簡単でコスト的にも安価であり、一般住宅での設置義務化に伴い広く普及している。
【０００４】
また、複数の住警器間で通信を行うことによって、任意の住警器で火災警報が出力されると、他の住警器でも連動して火災警報を出力させる無線連動型の警報システムも実用化され、普及している。
【０００５】
また、無線連動型の警報システムにあっては、システム外に設置している火災通報装置や住宅情報盤などの外部機器を連動させるため、住警器からの火災連動信号を受信した場合に、信号線により接続している外部機器に移報信号を出力するようにした中継器として機能する移報アダプタを設けている。
【０００６】
警報システムに移報アダプタを設けた場合、住警器による非火災報が多発した場合や点検に伴い外部機器の連動動作させないための対策として、移報アダプタのスイッチ操作により、移報信号の出力を停止可能とした警報システムが提案されている。
【先行技術文献】
【特許文献】
【０００７】
【特許文献１】特開２０１２−２０３５６２号公報
【特許文献２】特許第５４０６０８０号公報
【発明の概要】
【発明が解決しようとする課題】
【０００８】
しかしながら、このような従来の移報アダプタからの移報出力を停止可能とした警報システムにあっては、移報アダプタのスイッチ操作で外部機器への移報停止を設定するようにしていたため、特定の監視区画に設置した住警器で多発する非火災報に対する対策として移報アダプタに移報停止を設定していると、非火災報の対象となっていない監視区画に設置した住警器で火災を検出しても外部機器に移報出力が行われず、外部機器の連動動作ができなくなる問題がある。
【０００９】
また、警報システムで住警器の連動点検を行う場合、連動点検により移報アダプタに接続している外部機器を動作させたくない場合には、中継アダプタの場所に出向いて移報出力を停止するための設定操作が必要となり、連動点検に伴う移報停止操作に手間がかかる。また、連動点検が終了した際に、移報アダプタの移報停止の設定解除を忘れる場合があり、住警器で火災を検知した場合の移報アダプタによる外部機器の連動が正常にできなくなる恐れもある。
【００１０】
本発明は、移報アダプタでの移報停止操作によらず、警報器側の操作で移報アダプタの移報停止を必要に応じて簡単且つ容易に可能とする警報システムを提供することを目的とする。
【課題を解決するための手段】
【００１１】
［第１発明］
（警報器からの指示による移報停止）
本発明は、１又は複数の警報器と移報アダプタを備え、１の警報器で火災を検出した場合に火災警報を出力すると共に火災連動信号を他の警報器及び移報アダプタへ送信して他の警報器から火災警報を出力させると共に移報アダプタから外部機器に移報信号を出力させる警報システムに於いて、
警報器は、
所定の移報停止操作を受付けるスイッチと、
スイッチによる移報停止操作の受付けを検出した場合に移報アダプタの移報停止を設定し、火災を検出した場合に移報停止の指示を含む火災連動信号を送信する警報制御部と、
を備え、
移報アダプタは、
信号線により接続した外部機器に移報信号を出力する移報出力部と、
警報器から移報停止の指示を含む火災連動信号を受信した場合に、移報出力部に指示して外部機器に対する移報信号の出力を行わない移報制御部と、
を備えたことを特徴とする。
【００１２】
（火災継続を判定した移報停止解除）
移報アダプタの移報制御部は、移報停止の指示を含む火災連動信号を所定回数又は所定時間連続して受信した場合、移報出力部に対する移報停止の指示を解除して外部機器に移報信号を出力する。
【００１３】
（警報器による移報停止の解除）
警報器の警報制御部は、火災を検出して移報停止の指示を含む火災連動信号を送信している場合に、移報停止の指示を含む火災連動信号を所定回数又は所定時間連続して送信したとき、又は、火災と判断する所定の閾値より高い他の閾値を超える煙濃度又は温度を検出したときに、移報停止の指示を含まない火災連動信号の送信に切替えて、移報アダプタに外部機器への移報出力を行わせる。
【００１４】
（警報器のスイッチ操作による移報停止の解除）
警報器の警報制御部は、火災を検出して移報停止の指示を含む火災連動信号を送信している場合に、スイッチによる所定の移報停止解除操作の受付けを検出したときに、移報停止の指示を含まない火災連動信号を送信して、移報アダプタに外部機器への移報出力を行わせる。
【００１５】
（移報アダプタによる連動と移報停止の表示）
移報アダプタの移報制御部は、火災連動信号を受信した場合に当該火災連動信号の受信を示す報知を行い、移報停止の指示を含む火災連動信号を受信した場合に当該移報停止の指示を含む火災連動信号の受信を示す報知を行う。
【００１６】
（警報器による連動と移報停止の表示）
警報器の警報制御部は、火災連動信号を送信した場合に当該火災連動信号の送信を示す報知を行い、移報停止指示を含む火災連動信号を送信した場合に当該移報停止指示を含む火災連動信号の送信を示す報知を行う。
【００１７】
（警報器からの点検指示による移報停止）
警報器のスイッチは、火災警報中の操作により警報停止を受付け、通常状態での操作の相違により移報停止と点検を受け付け、
警報器の警報制御部は、移報アダプタの移報停止を設定し且つ火災を検出していない状態でのスイッチによる点検操作の受付けを検出した場合に、移報停止の指示を含む点検連動信号を送信し、
移報アダプタの移報制御部は、警報器から移報停止の指示を含む点検連動信号を受信した場合に、所定の点検動作を行うと共に移報出力部に指示して外部機器に対する移報信号の出力を行わない。
【００１８】
［第２発明］
（スイッチ操作の相違による点検と点検移報停止）
本発明の別の形態にあっては、１又は複数の警報器と移報アダプタを備え、１の警報器で火災を検出した場合に火災警報を出力すると共に火災連動信号を他の警報器及び前記移報アダプタへ送信して他の警報器から火災警報を出力させると共に前記移報アダプタから外部機器に移報信号を出力させる警報システムに於いて、
警報器は、
火災警報中の操作により警報停止を受付け、通常状態での操作の相違により移報停止を含まない点検と移報停止を含む点検を受付けるスイッチと、
スイッチによる移報停止を含まない点検操作の受付けを検出した場合に、移報停止の指示を含まない点検連動信号を送信し、スイッチによる移報停止を含む点検操作の受付けを検出した場合に、移報停止の指示を含む点検連動信号を送信し、更に他の警報器から点検連動信号を受信した場合に所定の点検動作を行う警報制御部と、
を備え、
移報アダプタは、
信号線により接続した外部機器に移報信号を出力する移報出力部と、
警報器から移報停止の指示を含まない点検連動信号を受信した場合に所定の点検動作を行うと共に移報出力部に指示して外部機器に移報信号を出力させ、一方、警報器から移報停止の指示を含む点検連動信号を受信した場合に、所定の点検動作を行うと共に移報出力部に指示して外部機器に対する移報信号の出力を行わない。
【００１９】
［第１発明及び第２発明共通］
（単独点検）
警報器のスイッチは、通常状態での操作の相違により更に単独点検を受付け、
警報器の警報制御部は、スイッチによる単独点検操作の受付けを検出した場合に、点検連動信号を送信することなく所定の自己点検を行う。
【発明の効果】
【００２０】
（第１発明：警報器からの移報停止指示による効果）
本発明は、１又は複数の警報器と移報アダプタを備え、１の警報器で火災を検出した場合に火災警報を出力すると共に火災連動信号を他の警報器及び移報アダプタへ送信して他の警報器から火災警報を出力させると共に移報アダプタから外部機器に移報信号を出力させる警報システムに於いて、警報器は、所定の移報停止操作を受付けるスイッチと、スイッチによる移報停止操作の受付けを検出した場合に移報アダプタの移報停止を設定し、火災を検出した場合に移報停止の指示を含む火災連動信号を送信する警報制御部とを備え、移報アダプタは、信号線により接続した外部機器に移報信号を出力する移報出力部と、警報器から移報停止の指示を含む火災連動信号を受信した場合に、移報出力部に指示して外部機器に対する移報信号の出力を行わない移報制御部とを備えるようにしたため、例えば非火災報が多発している監視区画に設置している警報器のスイッチ操作により移報アダプタの移報停止を設定しておくことで、移報停止を設定している警報器からの火災連動信号を受信した場合にのみ移報アダプタは移報出力を停止し、一方、移報停止を設定していない警報器からの火災連動信号を受信した場合に移報アダプタは移報信号を出力して外部機器を連動させることができ、移報アダプタからの移報出力を行わないようにするか否かを警報器側で決めることができ、非火災報に対しては移報による連動を停止して外部機器の不必要な動作な禁止し、一方、移報停止を設定していない警報器からの火災連動信号の受信に対し移報アダプタは連動信号を外部機器に出力して確実に必要な連動動作を行わせることができる。
【００２１】
（火災継続を判定した移報停止解除による効果）
また、移報アダプタの移報制御部は、移報停止の指示を含む火災連動信号を所定回数又は所定時間連続して受信した場合、移報出力部に対する移報停止の指示を解除して外部機器に移報信号を出力するようにしたため、移報停止の指示を含む火災連動信号を所定時間又は所定回数を超えて移報アダプタが受信した場合は、非火災報ではなく実火災と判断し、それまでの移報停止を解除して移報信号を出力することで、実際に火災が発生した場合に適切且つ迅速に対処可能とする。
【００２２】
（警報器による移報停止解除の効果）
また、警報器の警報制御部は、火災を検出して移報停止の指示を含む火災連動信号を送信している場合に、移報停止の指示を含む火災連動信号を所定回数又は所定時間連続して送信したとき、又は、火災と判断する所定の閾値より高い他の閾値を超える煙濃度又は温度を検出したときに、移報停止の指示を含まない火災連動信号を送信して、移報アダプタに外部機器への移報出力を行わせるようにしたため、火災連動信号の送信が続いたり、煙濃度や温度か大きく増加した場合は、警報器側で非火災報ではなく実火災と判断し、移報停止指示を含む火災連動信号から移報停止の指示を含まない通常の火災連動信号に切替えてそれまでの移報停止を解除して移報信号を出力させることで、実際に火災が発生した場合に適切且つ迅速に対処可能とする。
【００２３】
（警報器のスイッチ操作による移報停止解除の効果）
また、警報器の警報制御部は、火災を検出して移報停止の指示を含む火災連動信号を送信している場合に、スイッチによる所定の移報停止解除操作の受付けを検出したときに、移報停止の指示を含まない火災連動信号を送信して、移報アダプタに外部機器への移報出力を行わせるようにしたため、火災警報中に必要に応じて移報アダプタの移報停止を解除したい場合には、警報器に設けたスイッチにより移報停止解除操作を行うことで、それまでの移報停止を解除して移報信号を出力させることで、外部機器を連動して火災発生に対し適切且つ迅速に対処可能とする。
【００２４】
（移報アダプタの連動と移報停止の表示による効果）
また、移報アダプタの移報制御部は、火災連動信号を受信した場合に当該火災連動信号の受信を示す報知を行い、移報停止の指示を含む火災連動信号を受信した場合に当該移報停止指示を含む火災連動信号の受信を示す報知を行うようにしたため、例えば火災連動信号の受信で表示灯を点滅し、移報停止の指示を含む火災連動信号の受信で表示灯を点滅することで、移報アダプタが移報出力を行っているか行っていないかを容易に確認可能とする。
【００２５】
（警報器の連動と移報停止の表示による効果）
また、警報器の警報制御部は、火災連動信号を送信した場合に当該火災連動信号の送信を示す報知を行い、移報停止指示を含む火災連動信号を送信した場合に当該移報停止指示を含む火災連動信号の送信を示す報知を行うようにしたため、警報器側で移報アダプタが移報出力を行っているか行っていないかを容易に確認可能とする。
【００２６】
（警報器からの移報停止を含む点検指示による効果）
また、警報器のスイッチは、火災警報中の操作により警報停止を受付け、通常状態での操作の相違により移報停止と点検を受け付け、警報器の警報制御部は、移報アダプタの移報停止を設定し且つ火災を検出していない状態でのスイッチによる点検操作の受付けを検出した場合に、移報停止の指示を含む点検連動信号を送信し、移報アダプタの移報制御部は、警報器から移報停止の指示を含む点検連動信号を受信した場合に、所定の点検動作を行うと共に移報出力部に指示して外部機器に対する移報信号の出力を行わないようにしたため、警報器側の操作で連動点検による移報アダプタの移報出力と移報停止を必要に応じて簡単且つ容易に決めることができ、移報アダプタの設置場所に出向いて移報停止の有無を設定する必要がなく、点検連動に伴う移報停止操作を簡単且つ容易に行うことを可能とする。
【００２７】
（第２発明：スイッチ操作の相違による移報停止の有無を含む点検指示の効果）
本発明の他の形態は、１又は複数の警報器と移報アダプタを備え、１の警報器で火災を検出した場合に火災警報を出力すると共に火災連動信号を他の警報器及び前記移報アダプタへ送信して他の警報器から火災警報を出力させると共に移報アダプタから外部機器に移報信号を出力させる警報システムに於いて、警報器は、火災警報中の操作により警報停止を受付け、通常状態での操作の相違により移報停止を含まない点検と移報停止を含む点検を受付けるスイッチと、スイッチによる連動停止を含まない点検操作の受付けを検出した場合に、移報停止の指示を含まない点検連動信号を送信し、スイッチによる移報停止を含む点検操作の受付けを検出した場合に、移報停止の指示を含む点検連動信号を送信し、更に他の警報器から点検連動信号を受信した場合に所定の点検動作を行う警報制御部とを備え、移報アダプタは、信号線により接続した外部機器に移報信号を出力する移報出力部と、警報器から移報停止の指示を含まない点検連動信号を受信した場合に所定の点検動作を行うと共に移報出力部に指示して外部機器に移報信号を出力させ、一方、警報器から移報停止の指示を含む点検連動信号を受信した場合に、所定の点検動作を行うと共に移報出力部に指示して外部機器に対する移報信号の出力を行わないようにしたため、警報器に設けたスイッチによる点検操作の相違により、移報アダプタの移報出力を行わないか移報出力を行うかを簡単に選択することができ、移報アダプタの設置場所に出向いて移報停止の有無を設定する必要がなく、点検連動に伴う移報停止操作を簡単且つ容易に行うことを可能とする。
【００２８】
また、警報器に設けたスイッチの点検操作の相違により、移報停止の指示を含む点検連動信号と移報停止指示を含まない点検連動信号を送信して移報アダプタでの移報停止の有無を選択していることから、従来の移報アダプタ側の操作で設定した移報停止の設定解除を忘れるようなことは起きず、移報停止を指示した移報アダプタの点検を行っても、警報器で火災を検知した場合の移報アダプタによる外部機器の連動が正常にできなくなることを確実に防止可能とする。
【図面の簡単な説明】
【００２９】
【図１】住警器と移報アダプタで構成した警報システムの概略を示した説明図
【図２】警報器の機能構成を示したブロック図
【図３】移報アダプタの機能構成を示したブロック図
【図４】第１発明の警報システムにおける火災連動動作をフロー形式で示したタイムチャート
【図５】第１発明の警報システムにおける点検連動動作をフロー形式で示したタイムチャート
【図６】第２発明の警報システムにおける点検連動動作をフロー形式で示したタイムチャート
【発明を実施するための形態】
【００３０】
［第１発明の警報システム］
（警報システムの概要）
図１は住警器と移報アダプタで構成した第１発明による警報システムの概略を示した説明図である。図１に示すように、本実施形態の警報システムは、特定小規模施設として知られた高齢者施設や住宅等の各部屋となる監視区画に分けて、警報器として機能する無線連動型の住警器１０−１〜１０−３を設置し、また、システム外に設置している火災通報装置や住宅情報盤などの外部機器１４を信号線接続した中継器として機能する移報アダプタ１２を設置している。以下、住警器１０−１〜１０−３をそれぞれ区別しない場合は住警器１０という。
【００３１】
住警器１０−１〜１０−３は、それぞれを設置した監視区画の温度又は煙濃度を観測し、観測結果が示す温度又は煙濃度に基づいて火災を検出した場合に連動元を示す火災警報音を出力する。
【００３２】
また、住警器１０−１〜１０−３及び移報アダプタ１２の間で火災監視の連動グループを形成している。住警器１０−１〜１０−３及び移報アダプタ１２の間は所定の通信プロトコルに従った通信経路となり、所定の連動グループ符号を含めた信号を送信することで、連動グループ内での通信を可能とする。
【００３３】
例えば住警器１０−１が火災を検出して連動元を示す火災警報を出力した場合、他の住警器１０−２〜１０−３及び移報アダプタ１２へ火災連動信号を送信して、これを受信した住警器１０−２〜１０−３連動先を示す火災警報を出力させ、移報アダプタ１２には火災警報表示を行わせる。
【００３４】
また、住警器１０−１〜１０−３は、火災を検出した後に火災復旧を検出した場合に警報出力を停止すると共に火災復旧連動信号を他の警報器に送信して火災警報の出力を停止させ、また、火災警報の出力中に警報停止操作を検出した場合に警報出力を停止すると共に警報停止連動信号を他の警報器に送信して警報出力を停止させる。
【００３５】
（火災連動信号による移報停止）
また、住警器１０は、点検スイッチを兼用した警報停止スイッチを設けており、この警報停止スイッチを利用して移報アダプタ１２の移報停止を設定可能としている。例えば通常状態で警報停止スイッチを点検スイッチとしての操作とは異なる所定の操作、例えば所定時間の長押し操作を行うと、移報アダプタ１２の移報停止が設定される。
【００３６】
住警器１０に移報アダプタ１２の移報停止を設定した状態で火災を検出すると、設定した移報停止の指示を含む火災連動信号を生成して他の住警器及び移報アダプタ１２に送信する。移報アダプタ１２は住警器１０からの移報停止の指示を含む火災連動信号を受信した場合、外部機器１４に対する移報信号の出力を行わないようにし、外部機器１４を連動動作しないようにする。
【００３７】
このような火災連動信号に対する移報アダプタ１２の移報停止は、例えば住警器１０を調理室等の非火災報が出やすい警戒区画に設置しており、住警器１０の非火災報により外部機器１４を動作させたくない場合等に行う。
【００３８】
また、移報アダプタ１２は、住警器１０から移報停止の指示を含む火災連動信号を受信すると、外部機器１４に対する移報出力を行わないが、同じ住警器１０から移報停止の指示を含む火災連動信号を所定時間に亘り連続して受信した場合、或いは所定回数連続して受信した場合には、実火災による火災連動信号の受信と判断し、移報停止を設定解除して外部機器１４に移報信号を出力して動作させる。
【００３９】
（点検連動信号による移報停止）
また、住警器１０は、移報アダプタ１２の移報停止を設定した通常状態で、警報停止スイッチにより点検操作を行うと、設定した移報停止の指示を含む点検連動信号を生成して他の住警器及び移報アダプタ１２に送信する。点検連動信号を受信した他の住警器は、例えば連動警報の出力を含む所定の連動点検を行う。
【００４０】
また、移報アダプタ１２は、移報停止の指示を含まない点検連動信号を受信した場合は、外部機器１４に対する移報信号の出力を含む所定の連動点検を行うが、移報停止の指示を含む点検連動信号を受信した場合は、外部機器１４に対する移報信号の出力を行わないようにした所定の連動点検を行う。
【００４１】
このような点検連動信号に対する移報アダプタ１２の移報停止は、例えば移報アダプタ１２に火災通報装置等の点検で動作させたくない外部機器１４を接続している場合等に行う。
【００４２】
また、住警器１０は警報停止スイッチにより所定の単独点検の操作を行うと、点検連動信号の送信は行わず、所定の自己点検を行う。
【００４３】
（住警器の機能構成）
図２は住警器の機能構成を示したブロック図である。図２に示すように、住警器１０は、警報制御部１６、アンテナ２０を接続した無線通信部１８、センサ部２２、報知部２４及び操作部２６を備え、図示しない電池電源により動作する。警報制御部１６はＣＰＵ、メモリ、各種の入出力ポート等を備えたコンピュータ回路等とする。
【００４４】
無線通信部１８は、他の住警器との間で所定の通信プロトコルに従って火災連動信号を含む各種の連動信号を受信する。連動信号は、送信元を示す送信元符号、連動グループを示すグループ符号、火災などの事象を示す事象符号、及び移報アダプタ１２の移報停止の有無を示す移報停止符号を含む形式とする。
【００４５】
無線通信部１８の通信プロトコルは、日本国内の場合には、例えば４００ＭＨｚ帯の特定小電力無線局の標準規格として知られたＳＴＤ−３０（小電力セキュリティシステム無線局の無線設備標準規格）に準拠する。
【００４６】
センサ部２２は、例えば散乱光式の煙検出機構によって煙を検出して煙濃度に応じた煙検出信号を出力する。警報制御部１６はこれに基づき火災を検出する。なお、センサ部２２にサーミスタ等の温度検出素子を設け、温度検出信号を警報制御部１６へ出力して、これに基づき火災を検出するようにしても良い。もちろん、他の素子により他の物理現象を検出し、これに基づき火災を検出するようにしても良い。
【００４７】
報知部２４は、例えばスピーカとＬＥＤを備え、必要に応じ警報制御部１６の指示によりスピーカから警報音を出力すると共にＬＥＤにより警報表示を行う。
【００４８】
操作部２６は警報音及び又は警報表示を停止するための操作を受け付ける点検スイッチを兼ねた警報停止スイッチを備える。警報停止スイッチは、火災警報中に操作すると警報停止スイッチとして警報停止操作を受け付ける。また、火災警報を出力していない通常状態で警報停止スイッチを操作すると点検スイッチとして連動点検のための点検操作を受け付ける。
【００４９】
更に通常状態で警報停止スイッチを特殊操作、例えば２〜３秒といった時間に亘り長押し操作すると、移報アダプタ１２の移報停止の設定操作を受け付ける。更に、警報停止スイッチは通常状態で単独点検の点検操作を受け付けるが、この受付けは例えば警報停止スイッチを２回クリック操作するなどして可能とする。
【００５０】
なお、移報アダプタ１２の移報停止の設定操作は、警報停止スイッチによらず、住警器１０の裏面側に設けたディップスイッチの操作で設定しても良い。
【００５１】
警報制御部１６は、センサ部２２からの煙検出信号に基づき火災を検出した場合に、報知部２４から連動元を示す火災警報音を出力させると共に連動元を示す火災警報表示を行わせる制御を行い、更に、火災連動信号を無線通信部１８から他の住警器で連動先を示す火災警報音出力と警報表示を行わせ、移報アダプタ１２では火災警報表示を行わせる。また、警報制御部１６は、火災検出が継続している場合、所定周期毎に火災連動信号を繰り返し送信する制御を行う。
【００５２】
また、警報制御部１６は、無線通信部１８により他の住警器のいずれかが送信した火災連動信号の受信を検出した場合に、報知部２４から連動先を示す火災警報音を出力させると共に連動先を示す警報表示を行わせる制御を行う。
【００５３】
また、警報制御部１６は、火災警報の出力中に火災復旧又は警報停止操作を検出した場合、報知部２４からの連動元を示す火災警報音出力と警報表示を停止させる制御を行うと共に、火災復旧連動信号又は警報停止連動信号を無線通信部１８から他の住警器及び移報アダプタ１２へ送信させる制御を行い、当該火災復旧連動信号又は警報停止連動信号を受信した他の住警器及び移報アダプタ１２で、連動先を示す火災警報音出力と警報表示を停止させる。
【００５４】
また、警報制御部１６は、警報停止スイッチによる移報停止操作の受付けを検出した場合にメモリ等に中継器の移報停止を記憶することで設定し、火災を検出した場合に移報停止の指示を含む火災連動信号を生成し、無線通信部１８に指示して送信する制御を行う。具体的には、移報停止符号を有効とした火災連動信号を生成して送信する制御を行う。
【００５５】
また、警報制御部１６は、移報アダプタ１２の移報停止を設定し且つ火災を検出していない状態での警報停止スイッチによる点検操作の受付けを検出した場合に、移報停止の指示を含む点検連動信号を生成し、無線通信部１８に指示して送信する制御を行う。具体的には、移報停止符号を有効とした点検連動信号を生成して送信する制御を行う。
【００５６】
また、警報制御部１６は、警報停止スイッチによる単独点検操作の受付けを検出した場合に、点検連動信号を送信することなく所定の自己点検を実行する制御を行う。
【００５７】
（移報アダプタの機能構成）
図３は移報アダプタの機能構成を示したブロック図である。図３に示すように、移報アダプタ１２は、移報制御部３０、アンテナ３４を接続した無線通信部３２、報知部３６、操作部３８及び移報出力部４０を備え、図示しない電池電源により動作する。移報制御部３０はＣＰＵ、メモリ、各種の入出力ポート等を備えたコンピュータ回路等とする。
【００５８】
無線通信部３２は住警器１０が送信した火災連動信号、火災復旧連動信号、警報停止連動信号又は点検連動信号を受信して復調した信号を移報制御部３０に出力する。
【００５９】
また無線通信部３２の通信プロトコルは、住警器１０と同様に、日本国内の場合には、例えば４００ＭＨｚ帯の特定小電力無線局の標準規格として知られたＳＴＤ−３０（小電力セキュリティシステム無線局の無線設備標準規格）に準拠する。
【００６０】
報知部３６は、例えばスピーカとＬＥＤを備え、必要に応じ移報制御部３０の指示によりスピーカから警報音を出力すると共にＬＥＤにより警報表示を行う。
【００６１】
操作部３８は警報音及び又は警報表示を停止するための操作を受け付ける点検スイッチを兼ねた警報停止スイッチを備える。警報停止スイッチは、火災警報中に操作すると警報停止スイッチとして警報停止操作を受け付ける。また、火災警報を出力していない通常状態で警報停止スイッチ操作すると点検スイッチとして自己点検（単独点検）のための点検操作を受け付ける。
【００６２】
移報出力部４０は、移報制御部３０の指示に基づき、信号線４２により接続した外部機器１４に移報信号を出力する。移報出力部４０は移報信号として例えば無電圧接点信号を出力する。無電圧接点信号の出力は、移報出力部４０に設けた移報リレーを作動してリレー接点を閉じ、このリレー接点に外部機器１４からの信号線を接続している。
【００６３】
移報制御部３０は、無線通信部３２を介して住警器のいずれかが送信した火災連動信号の受信を検出した場合に、報知部３６のＬＥＤを例えば点滅して火災警報表示を行わせる制御を行う。
【００６４】
また、移報制御部３０は、火災警報の出力中に無線通信部３２を介して火災復旧連動信号又は警報停止連動信号の受信を検出した場合、火災警報表示を停止させる制御を行う。
【００６５】
また、移報制御部３０は、無線通信部３２を介して移報停止の指示を含む火災連動信号の受信を検出した場合に、移報出力部４０に指示して外部機器１４に対する移報信号の出力を行わないように制御する。
【００６６】
また、移報制御部３０は、無線通信部３２を介して移報停止の指示を含む点検連動信号の受信を検出した場合に、点検火災警報の出力を含む所定の点検動作を行うと共に移報出力部４０に指示して外部機器１４に対する移報信号の出力を行わないように制御する。
【００６７】
（警報システムの火災監視動作）
図４は図１の警報システムの動作をフロー形式で示したタイムチャートである。図４に示すように、高齢者施設の調理室等に設置している住警器１０−１が調理に伴う水蒸気等による非火災報を出す場合には、非火災報による外部機器１４の連動を防ぐため、住警器１０−１の警報停止スイッチにより移報停止のための例えば長押し操作を行うと、住警器１０−１がステップＳ１（以下「ステップ」は省略）で移報停止操作の受付けを検出し、Ｓ２で移報アダプタ１２の移報停止を設定する。
【００６８】
この移報停止を設定した状態で、Ｓ３で住警器１０−１が例えば非火災報による火災を検出すると、Ｓ４で連動元を示す火災警報を出力すると共に、Ｓ５で移報停止の指示を含む火災連動信号を生成して送信する。
【００６９】
Ｓ５で送信した火災連動信号は他の住警器１０−２で受信され、Ｓ６で連動先を示す火災警報を出力する。また、Ｓ５で送信した火災連動信号は移報アダプタ１２でも受信され、Ｓ７で連動先を示す火災警報を出力するが、受信した火災連動信号には移報停止の指示が含まれているため、外部機器１４に対する移報信号の出力は行わず、非火災報による外部機器１４の連動動作を防止する。
【００７０】
一方、住警器１０−２は非火災報のない監視区画に設置していることから、移報アダプタ１２の移報停止の設定操作は行っておらず、この状態で住警器１０−２がＳ８で火災を検出すると、Ｓ９で連動元を示す火災警報を出力し、続いてＳ１０で移報停止の指示を含まない火災連動信号を送信する。
【００７１】
Ｓ１０で送信した火災連動信号は住警器１０−１で受信され、Ｓ１１で連動先を示す火災警報を出力する。また、Ｓ１０で送信した火災連動信号は移報アダプタ１２でも受信され、Ｓ１２で火災警報表示を行い、続いて受信した火災連動信号には移報停止の指示が含まれていないため、Ｓ１３で外部機器１４に対し移報信号を出力し、Ｓ１４で外部機器１４を住警器１０−２の火災検出に連動して動作する。
【００７２】
（警報システムの点検動作）
図５は図１の警報システムの点検動作をフロー形式で示したタイムチャートである。図５に示すように、住警器１０−１の点検で外部機器１４を動作させたくない場合は、住警器１０−１の警報停止スイッチにより移報停止のための例えば長押し操作を行うと、住警器１０−１がステップＳ２１で移報停止操作の受付けを検出し、Ｓ２２で移報アダプタ１２の移報停止を設定する。
【００７３】
この移報停止を設定した状態で、住警器１０−１の警報停止スイッチにより点検操作を行うと、Ｓ２３で点検操作の受付けを検出し、Ｓ２４で移報停止の指示を含む点検連動信号を生成して送信し、Ｓ２５で住警器１０−１の所定の自己点検を行う。
【００７４】
Ｓ２４で送信した点検連動信号は他の住警器１０−２で受信され、Ｓ２６で例えば点検連動警報の出力を含む所定の連動点検を行う。また、Ｓ２４で送信した点検連動信号は移報アダプタ１２でも受信され、受信した火災連動信号には移報停止の指示が含まれているため、Ｓ２７で外部機器１４に対する移報出力を行わないようにし、所定の連動点検を行う。
【００７５】
一方、住警器１０−２は移報停止を設定しておらず、この状態で住警器１０−２の警報停止スイッチにより点検操作を行うと、Ｓ２９で移報停止の指示を含まない点検連動信号を生成して送信し、Ｓ３０で住警器１０−２は所定の自己点検を行う。
【００７６】
Ｓ２９で送信した点検連動信号は他の住警器１０−１で受信され、Ｓ３１で所定の連動点検を行う。また、Ｓ２９で送信した点検連動信号は移報アダプタ１２でも受信され、受信した火災連動信号には移報停止の指示が含まれていないため、Ｓ３２で外部機器１４に対し移報信号を出力し、Ｓ３３で外部機器１４を住警器１０−２点検操作に連動して動作する。
【００７７】
（住警器による移報停止解除）
図２に示した住警器１０の警報制御部１６は、操作部２６に設けた警報停止スイッチによる移報停止操作の受付けを検出して移報アダプタ１２の移報停止を設定している状態で、火災を検出して移報停止の指示を含む火災連動信号を送信している場合に、移報停止の指示を含む火災連動信号を所定回数又は所定時間連続して送信したとき、又は、火災と判断する所定の閾値より高い他の閾値を超える煙濃度又は温度を検出したときに、実火災と判断して、移報停止の指示を含まない火災連動信号を送信する制御を行うようにしても良い。
【００７８】
これにより移報出力を行わないようにしていた移報アダプタ１２を、移報出力を行うように切替えることができ、実際に火災が発生した場合に適切且つ迅速に対処可能とする。
【００７９】
（住警器のスイッチ操作による移報停止解除）
図２に示した住警器１０の警報制御部１６は、操作部２６に設けた警報停止スイッチによる移報停止操作の受付けを検出して移報アダプタ１２の移報停止を設定している状態で、火災を検出して移報停止の指示を含む火災連動信号を送信している場合に、警報停止スイッチによる警報停止操作とは異なる所定の移報停止解除操作、例えば長押し操作の受付けを検出したときに、移報停止の指示を含まない火災連動信号を送信する制御を行うようにしても良い。
【００８０】
これにより住警器１０側のスイッチ操作で、移報出力を行わないようにしていた移報アダプタ１２を、移報出力を行うように切替えることができ、火災警報中に必要に応じて、それまでの移報停止を解除して移報信号を出力させることで外部機器１４を動作して火災発生に対し適切且つ迅速に対処可能とする。
【００８１】
（移報アダプタの連動と移報停止の表示）
図３に示した移報アダプタ１２の移報制御部３０は、火災連動信号を受信した場合に当該火災連動信号の受信を示す報知、例えば報知部３６に設けた表示灯を点灯し、一方、移報停止の指示を含む火災連動信号を受信した場合に、例えば報知部３６に設けた表示灯を点滅する制御を行うようにしても良い。これにより火災連動信号を受信した移報アダプタ１２が移報出力を行っているか行っていないかを容易に確認可能とする。
【００８２】
（住警器による移報と移報停止の表示）
図２に示した住警器１０の警報制御部１６は、火災連動信号を送信した場合に当該火災連動信号の送信を示す報知を行い、移報停止指示を含む火災連動信号を送信した場合に当該移報停止指示を含む火災連動信号の送信を示す報知を行うように制御しても良い。
【００８３】
ここで、住警器１０が火災連動信号を送信している場合、報知部２４からは連動元を示す火災警報としてスピーカから音声メッセージを含む警報音を出力し、ＬＥＤを例えば点灯していることから、警報制御部１６は、例えば火災警報音と警報停止の有無を示す音声メッセージを含む報知音を交互に出力させるように制御すれば良い。
【００８４】
これにより住警器１０側で、移報アダプタ１２が移報出力を行っているか行っていないかを容易に確認可能とする。
［第２発明の警報システム］
（警報システムの概要）
本願の第２発明としての警報システムは、１の住警器の点検操作に連動して他の住警器及び移報アダプタの連動点検を行う場合に、住警器側に設けた警報停止スイッチによる点検操作の相違により移報アダプタの連動点検での移報停止の有無を選択可能にしたことを特徴とする。
【００８５】
第２発明としての警報システムは、図１に示したと同様に、住警器１０−１〜１０−３と外部機器１４を信号線接続した移報アダプタ１２で構成し、住警器１０及び移報アダプタ１２の機能構成は図２及び図３に示したと基本的に同じになる。
【００８６】
第２発明の警報システムに固有な機能として、図２の操作部２６に設けた警報停止スイッチは、通常状態での操作の相違により移報停止を含まない点検と移報停止を含む点検を受付ける。例えば警報停止スイッチをワンクリックする操作で移報停止を含まない点検を受付け、警報停止スイッチの長押し操作で移報停止を含まない点検を受付ける。
【００８７】
また、図２の警報制御部１６は、警報停止スイッチによる移報停止を含まない点検操作の受付けを検出した場合に、移報停止の指示を含まない点検連動信号を送信し、一方、警報停止スイッチによる移報停止を含む点検操作の受付けを検出した場合に、移報停止の指示を含む点検連動信号を送信し、更に他の住警器から点検連動信号を受信した場合に所定の点検動作を実行する制御を行う。
【００８８】
また、図３に示した移報アダプタ１２の移報制御部３０は、無線通信部３２を介して移報停止の指示を含まない点検連動信号を受信した場合に所定の点検動作を行うと共に移報出力部４０に指示して外部機器１４に移報信号を出力させ、一方、無線通信部３２を介して移報停止の指示を含む点検連動信号を受信した場合に、所定の点検動作を行うと共に移報出力部４０に指示して外部機器１４に対する移報信号の出力を行わないように制御する。
【００８９】
このため住警器１０側での警報停止スイッチの操作の相違により、連動点検に伴い移報アダプタ１２の移報出力を行わないか移報出力を行うかを簡単に選択することができ、移報アダプタ１２の設置場所に出向いて移報停止の有無を設定する必要がなく、点検連動に伴う移報停止操作を簡単且つ容易に行うことを可能とする。
【００９０】
（警報システムの点検動作）
図６は第２発明の警報システムによる点検動作をフロー形式で示したタイムチャートである。図６に示すように、住警器１０−１の点検で外部機器１４を動作させたくない場合は、住警器１０−１の警報停止スイッチにより移報停止のための例えば長押し操作を行うと、住警器１０−１がステップＳ４１で移報停止を含む点検操作の受付けを検出し、Ｓ４２で移報停止の指示を含む点検連動信号を生成して送信し、Ｓ４３で住警器１０−１の所定の自己点検を行う。
【００９１】
Ｓ４２で送信した点検連動信号は他の住警器１０−２で受信され、Ｓ４４で例えば点検連動警報の出力を含む所定の連動点検を行う。また、Ｓ４２で送信した点検連動信号は移報アダプタ１２でも受信され、受信した火災連動信号には移報停止の指示が含まれているため、Ｓ４５で外部機器１４に対し移報信号を行わないようにして、所定の連動点検を行う。
【００９２】
一方、住警器１０−２の点検で外部機器１４を動作させても良い場合には、住警器１０−２の警報停止スイッチにより移報停止の指示を含まないワンクリックの点検操作を行うと、住警器１０−２はＳ４６で移報停止を含む点検操作の受付けを検出し、Ｓ４７で移報停止の指示を含む点検連動信号を生成して送信し、Ｓ４８で住警器１０−１の所定の自己点検を行う。
【００９３】
Ｓ４７で送信した点検連動信号は他の住警器１０−１で受信され、Ｓ４９で例えば点検連動警報の出力を含む所定の連動点検を行う。また、Ｓ４７で送信した点検連動信号は移報アダプタ１２でも受信され、受信した火災連動信号には移報停止の指示が含まれてないため、Ｓ５０で外部機器１４に対し移報信号を出力し、Ｓ５１で外部機器１４を住警器１０−２の点検操作に連動して動作する。
【００９４】
［本発明の変形例］
（警報システム）
上記の実施形態は、住警器により火災を検出して連動警報を行う警報システムを例にとっているが、火災以外にガス漏れ警報器等で異常を検出して連動警報を行う警報システムにも適用できる。
【００９５】
（警報システムの連動）
また、上記の警報システムは、複数の住警器のそれぞれが火災を検出した場合に他の住警器に火災連動信号を送信して連動警報を出力させる場合を例にとっているが、複数の警報器を親機と複数の子機で構成し、子機で火災を検出した場合に親機に火災検出信号を送信し、これを受信した親機から他の子機に火災連動信号を送信して連動警報を出力させる親子方式の警報システムについても同様に適用できる。
【００９６】
この場合、移報アダプタは、親機又は子機側で設定した移報停止の設定に基づく移報停止の指示を含む火災連動信号または点検連動信号を受信した場合に、外部機器に対する移報出力を行わないようにする。
【００９７】
（その他）
また本発明は上記の実施形態に限定されず、その目的と利点を損なうことのない適宜の変形を含み、更に上記の実施形態に示した数値による限定は受けない。
【符号の説明】
【００９８】
１０−１〜１０−３：住警器
１２：移報アダプタ
１４：外部機器
１６：警報制御部
１８，３２：無線通信部
２２：センサ部
２４，３６：報知部
２６，３８：操作部
３０：移報制御部
４０：外部機器
【図１】
0006430771.tif 000002
【図２】
0006430771.tif 000003
【図３】
0006430771.tif 000004
【図４】
0006430771.tif 000005
【図５】
0006430771.tif 000006
【図６】
0006430771.tif 000007